(57)【要約】
【課題】　家具に照明器具を設置しても、発熱による温度上昇を生じず、電力消費量が少なくなるようにする。照明の指向角度を調節可能とする。器具本体を家具に埋込み設置したり露出設置したり直付けしたりすることができるようにする。
【解決手段】　発光窓１４を有する筐体１１に光源としてのＬＥＤ２２を収容することによって器具本体１を構成する。器具本体１の光源を電源プラグ８とスイッチＳＷとに接続する電源コード７を備えている。筐体１１が家具側の取付部材１００に固定可能な取付部１７を有する。筐体１１に連結機構３を介してホルダー５を着脱可能とする。ホルダー５には、埋込み型と露出型とがある。連結機構３は、器具本体１の向きを調節する機能を発揮する。
【選択図】　　　　図２
0003099041.tif 000002
【実用新案登録請求の範囲】
【請求項１】
光源を電源プラグとスイッチとに接続する電源コードを備えた家具用照明器具において、
　上記光源として用いられる複数個のＬＥＤを、発光窓を有する筐体に収容することによって器具本体を形成したことを特徴とする家具用照明器具。
【請求項２】
光源を電源プラグとスイッチとに接続する電源コードを備えた家具用照明器具において、
　上記光源として用いられる複数個のＬＥＤを、発光窓を有する筐体に収容することによって形成された器具本体と、この器具本体を支持するホルダーとを有し、上記ホルダーが、上記器具本体の周囲を取り囲みかつ家具側に具備されている取付部材に開設された孔部に挿入される筒部と、その筒部の一端から外側に張り出して取付部材に重ね合わされる鍔部と、上記筒部に形成したコ字形のスリットにより舌片状に形作られかつ上記取付部材の上記円形孔の孔縁部を上記鍔部と共働して挟み付けて当該ホルダーを上記取付部材に固定する突片と、を備えていることを特徴とする家具用照明器具。
【請求項３】
上記筒部が、上記器具本体を揺動可能に支持して上記発光窓の指向角度を変更調節可能とする連結機構を介してその器具本体に取り付けられている請求項２に記載した家具用照明器具。
【請求項４】
光源を電源プラグとスイッチとに接続する電源コードを備えた家具用照明器具において、
　上記光源として用いられる複数個のＬＥＤを、発光窓を有する筐体に収容することによって形成された器具本体と、この器具本体を支持するホルダーとを有し、上記ホルダーが、家具側に具備されている取付部材に重なり状に固定される取付板部と、この取付板部から立ち上げられて筐体の側部に配備される連結板部とを備えていることを特徴とする家具用照明器具。
【請求項５】
上記連結板部が、上記器具本体を揺動可能に支持して上記発光窓の指向角度を変更調節可能とする連結機構を介してその器具本体に取り付けられている請求項４に記載した家具用照明器具。
【請求項６】
上記連結機構が、筐体とホルダーとのうちの一方側部材に同心状に設けられた軸体と、それらのうちの他方側部材に同心状に設けられて上記軸体が各別に相対回転自在に嵌合される軸受孔部と、上記筐体と上記ホルダーとに弾接して軸体とその軸体が嵌合された軸受孔部とを任意の相対回転位置で固定するためのゴムリングでなる摩擦発生手段とを有している請求項３又は請求項５に記載した家具用照明器具。
【請求項７】
上記器具本体が、光源としての複数個の上記ＬＥＤとそれらのＬＥＤを回路パターンによって直列に接続した状態で搭載した配線基板とを有し、
　複数個の上記器具本体のそれぞれの上記回路パターンが、上記電源プラグから導出された電源コードにその複数箇所で並列に接続されていると共に、上記スイッチが上記電源コードに直列に介在されており、
　上記電源コードが、電源プラグとスイッチとの相互間に亘る第１電路形成部と、電源プラグと器具本体との相互間に亘る第２電路形成部と、スイッチと器具本体との相互間に亘る第３電路形成部と、器具本体の相互間に亘る第４電路形成部とに区画されて、それらの電路形成部の中間箇所に、ピン電極とそのピン電極に離脱可能に接続された相手方電極とを有する雌雄型コネクタが介在されている請求項１ないし請求項６のいずれか１項に記載した家具用照明器具。
【請求項８】
上記筐体の発光窓にレンズが配備されている請求項１ないし請求項７のいずれか１項に記載した家具用照明器具。
【考案の詳細な説明】
【技術分野】
【０００１】
　本考案は、家具用照明器具、たとえば宮付きベッドの宮部の周辺やベッドの足元付近のほか、食器棚や仏壇といった箱物家具の内部などを照明することに用いられる家具用照明器具に関する。
【背景技術】
【０００２】
　従来のこの種の家具用照明器具では、その光源に白熱灯やハロゲンランプが用いられていた。また、従来の家具用照明器具において、複数の光源を備えたものでは、複数の光源を電源コードに並列に接続していた。
【考案の開示】
【考案が解決しようとする課題】
【０００３】
　しかしながら、従来の家具用照明器具の光源として採用されていた白熱灯やハロゲンランプは、点灯時の発熱量が大きいため、食器棚やその他の箱物家具の内部などに設置した場合には、家具内部での温度上昇が許容範囲を越えるおそれがあった。そのため、複数個の白熱灯やハロゲンランプを設置したいときでも、家具の内部の温度上昇が限界値を越えるおそれがあるという理由で設置できないことが多々あった。そして、そのような温度上昇をあらかじめ考慮せずに設置してしまうと、光源の発熱によって周囲の可燃物が焦げたり、場合によっては火災になるということも起こり得る。また、宮付きベッドの宮部に光源を設置した場合に、光源の発熱による周囲温度の上昇によって不快感を生じることがあった。そのほか、複数の光源を有する家具用照明器具では、個々の光源を電源コードに並列に接続していたため、電源コードの引廻しが乱雑になる傾向があるという問題や、電力消費量が大きいという問題があった。
【０００４】
　本考案は以上の状況の下でなされたものであり、点灯時に発熱による温度上昇を生じず、しかも、電力消費量の少ない家具用照明器具を提供することを目的とする。
【０００５】
　また、本考案は、発熱による温度上昇を生じず、しかも、電力消費量の少ない家具用照明器具を様々な態様で家具に取り付けられるようにすることを目的とする。
【０００６】
　さらに、本考案は、電源コードを整然と引き廻して見栄えよく設置することのできる家具用照明器具を提供することを目的とする。
【０００７】
　さらに、本考案は、照明範囲の拡散や収束を行わせることが容易に可能になる家具用照明器具を提供することを目的とする。
【課題を解決するための手段】
【０００８】
　請求項１に係る家具用照明器具は、光源を電源プラグとスイッチとに接続する電源コードを備えていて、上記光源として用いられる複数個のＬＥＤを、発光窓を有する筐体に収容することによって器具本体を形成してある。
【０００９】
　周知のように、ＬＥＤ（発光ダイオード）は発光時にほとんど発熱せず、白熱灯やハロゲンランプに比べると電力消費量も格段に少ないので、ＬＥＤでなる光源の点灯によって周囲の温度上昇が生じることはない。したがって、食器棚のような箱物家具の内部に設置しても内部温度が上昇することがなく、宮付きベッドの宮部に設置しても周囲温度が上がって不快感を生じることがないばかりか、電力消費量も格段に少なく抑えられる。
【００１０】
　請求項２及び請求項４に係る家具用照明器具は、光源を電源プラグとスイッチとに接続する電源コードを備えた家具用照明器具において、上記光源として用いられる複数個のＬＥＤを、発光窓を有する筐体に収容することによって器具本体を形成している点で、請求項１のものと同様である。したがって、これらの各請求項に係る考案でも、食器棚のような箱物家具の内部に設置しても内部温度が上昇することがなく、ベッドの宮部に設置しても周囲温度が上がって不快感を生じることがなくなるだけでなく、電力消費量も白熱灯やハロゲンランプを用いる場合に比べて格段に少なくなる。
【００１１】
　これに対し、請求項２に係る考案では、上記器具本体を支持するホルダーを有し、そのホルダーが、上記器具本体の周囲を取り囲みかつ家具側に具備されている取付部材に開設された孔部に挿入される筒部と、その筒部の一端から外側に張り出して取付部材に重ね合わされる鍔部と、上記筒部に形成したコ字形のスリットにより舌片状に形作られかつ上記取付部材の上記円形孔の孔縁部を上記鍔部と共働して挟み付けて当該ホルダーを上記取付部材に固定する突片と、を備えている。この場合、請求項３に係る考案のように、上記筒部が、上記器具本体を揺動可能に支持して上記発光窓の指向角度を変更調節可能とする連結機構を介してその器具本体に取り付けられていることが望ましい。
【００１２】
　また、請求項４に係る考案では、上記器具本体を支持するホルダーを有し、そのホルダーが、家具側に具備されている取付部材に重なり状に固定される取付板部と、この取付板部から立ち上げられて筐体の側部に配備される連結板部とを備えている。この場合、請求項５に係る考案のように、上記連結板部が、上記器具本体を揺動可能に支持して上記発光窓の指向角度を変更調節可能とする連結機構を介してその器具本体に取り付けられていることが望ましい。
【００１３】
　ここで、請求項２と請求項４とに係る各考案には、請求項２に係る考案の家具用照明器具が、ホルダーを家具側の取付部材の孔部に埋込み設置するものであるのに対し、請求項４に係る考案の家具用照明器具は、ホルダーを家具側の取付部材に露出設置するものであるという相違がある。
【００１４】
　本考案では、請求項６に係る家具用照明器具のように、上記連結機構が、筐体とホルダーとのうちの一方側部材に同心状に設けられた軸体と、それらのうちの他方側部材に同心状に設けられて上記軸体が各別に相対回転自在に嵌合される軸受孔部と、上記筐体と上記ホルダーとに弾接して軸体とその軸体が嵌合された軸受孔部とを任意の相対回転位置で固定するためのゴムリングでなる摩擦発生手段とを有している、という構成を採用することが可能であり、この構成を採用することにより、連結機構の構成が簡単になり、また、摩擦発生手段としてゴムリングという安価な部品を用いることができるようになるという利点がある。さらに、軸体を中心とする器具本体の回転操作を行うだけで、照明を所望の指向角度に調節することができるという利点もある。
【００１５】
　本考案では、請求項７に係る家具用照明器具のように、上記器具本体が、光源としての複数個の上記ＬＥＤとそれらのＬＥＤを回路パターンによって直列に接続した状態で搭載した配線基板とを有し、
　複数個の上記器具本体のそれぞれの上記回路パターンが、上記電源プラグから導出された電源コードにその複数箇所で並列に接続されていると共に、上記スイッチが上記電源コードに直列に介在されており、
　上記電源コードが、電源プラグとスイッチとの相互間に亘る第１電路形成部と、電源プラグと器具本体との相互間に亘る第２電路形成部と、スイッチと器具本体との相互間に亘る第３電路形成部と、器具本体の相互間に亘る第４電路形成部とに区画されて、それらの電路形成部の中間箇所に、ピン電極とそのピン電極に離脱可能に接続された相手方電極とを有する雌雄型コネクタが介在されている、という構成を採用することが可能である。この構成を採用することにより、電源コードを整然と引廻すことが容易になる。また、器具本体の個数の追加や削減が容易に可能になる。
【００１６】
　本考案では、請求項８に係る家具用照明器具のように、上記筐体の発光窓にレンズが配備されていることが望ましい。これによれば、レンズとして凸レンズや凹レンズを適宜使い分けることによって、ＬＥＤでなる光源から出た光を狭い範囲に収束させたり広い範囲に拡散させたりすることが可能になる。
【考案の効果】
【００１７】
　以上のように、本考案に係る家具用照明器具は、点灯時に発熱による温度上昇を生じず、電力消費量の少ないＬＥＤを光源としているので、家具の内部照明として用いても内部の温度上昇が起こらず、しかも、電力費用も安くつく。また、器具本体を単独で設置することにより照明の指向角度を一方向に定めることが可能になり、ホルダーを用いて設置すると、照明の指向角度を調節することができるようになので、必要に応じてそれらの設置方法を任意に選択して採用することができるという利便がある。さらに、ベッドの宮部や食器棚、仏壇などの取付部材に埋込み設置したり、それらの取付部材に露出設置することも適宜選択することが可能である。さらに、電源コードを整然と引き廻すことができるために、見栄えよく照明器具を設置することが可能になる。さらに、レンズを有しているものでは、照明範囲の拡散や収束を行わせることが容易に可能になる。
【考案を実施するための最良の形態】
【００１８】
　図１は本考案の実施形態としての家具用照明器具を埋込み型とした場合の平面図、図２は同縦断側面図、図３は埋込み設置した状態での要部の縦断側面図、図４は同家具用照明器具を直付け型とした場合の一部破断側面図、図５はレンズ１５の正面図、図６は図５のＶＩ−ＶＩ線に沿う部分の拡大断面図、図７は連結機構３の作用説明図である。
【００１９】
　図１又は図２に示した埋込み型の照明器具は、器具本体１と、この器具本体１に連結機構３を介して取り付けられたホルダー５とを備えている。
【００２０】
　器具本体１は、円形のベース板１２とこのベース板１２に装着されたキャップ形のカバー１３とによって形成された筐体１１の内部に、配線基板２１とこの配線基板２１に搭載された光源としての複数個（この実施形態では５個）のＬＥＤ２２とが収容されている。光源として採用されている複数個のＬＥＤ２２は、配線基板２１に備わっている回路パターン（不図示）によって直列に接続されていると共に、その回路パターンの末端の配線基板２１上の電極に、電源プラグ（後述する）から導出された電源コード（後述する）が接続されている。なお、配線基板２１には、ＬＥＤ２２のほかに、抵抗、コンデンサー、ブリッジダイオードといったＬＥＤ２２の制御に必要な電気電子部品が搭載されている。また、筐体１１には、ＬＥＤ２２の頂部に対向する部分に発光窓１４が備わっていて、その発光窓１４にレンズ１５が装着されている。図５又は図６のように、このレンズ１５は、光源であるＬＥＤ２２から出た光を拡散又は収束させる機能を有し、図例では、５個のＬＥＤ２２のそれぞれに対する個別のレンズ領域１６を有している。さらに、図１のように、筐体１１の外周部の相反する側に位置する２箇所に平板状の取付部１７が備わっていて、この取付部１７には取付ねじ挿通孔１８が形成されている。
【００２１】
　ホルダー５は、筒部５１とこの筒部５１の一端から外側に張り出した円環状の鍔部５２とを有する合成樹脂の一体成形体でなる。そして、筒部５１の周方向の相反する側の２箇所に、図３に示したように、コ字形のスリット５６により舌片状に形作られた突片５３が備わっている。この突片５３は、筒部５１の外側に突き出ていて、その先端５４が所定の間隔を隔てて鍔部５２に対向している。
【００２２】
　図２で判るように、連結機構３は、ホルダー５の筒部５１に設けられた軸体３１と、筐体１１に設けられて上記軸体３１が相対回転自在に嵌合された軸受孔部３２と、ゴムリングでなる摩擦発生手段３３とを備えていて、摩擦発生手段３３を形成しているゴムリングがホルダー５の筒部５１と筐体１１とに接触した状態で挟み付けられている。なお、図例では、一対の軸体３１が左右同心位置で対向し、それらの軸体３１が、左右同心位置に設けられた一対の軸受孔部３２に各別に嵌合されている。
【００２３】
　このように構成されている照明器具において、器具本体１の筐体１１とホルダー５とは共に合成樹脂成形体でなる。そのため、筐体１１又はホルダー５の筒部５１を変形させることによって、連結機構３の軸体３１と軸受孔部３２とを嵌脱することが可能であり、そのような嵌脱操作を行うことによって、ホルダー５を器具本体１に取り付けたり器具本体１から取り外したりすることが可能である。
【００２４】
　器具本体１を家具に直付けする場合には、ホルダー５を器具本体１から取り外し、図４のように、筐体１１のベース板１２を家具側に具備されている取付部材１００に重ね合わせ、取付部１７の取付ねじ挿通孔１８に挿通した取付ねじ９１を取付部材１００にねじ込んで締め付ける。なお、取付部材１００として、食器棚や仏壇などの箱物家具では棚板や壁板などを適宜選択でき、ベッドなどの寝具では宮部や枠体などを適宜選択できる。
【００２５】
　器具本体１を家具に埋込み設置するときは、図２又は図３のように、家具側の取付部材１００に開設した円形孔１１０に、器具本体１に連結機構３を介して取り付けたホルダー５の筒部５１を挿入することによって、そのホルダー５の鍔部５２を取付部材１００に重ね合わせると共に、突片５３の先端５４と鍔部５２とによって取付部材１００の円形孔１１０の孔縁部を挾み付ける。これにより器具本体１がホルダー５を介して取付部材１００に固定される。
【００２６】
　図２又は図３で説明したようにホルダー５を用いて器具本体１を取付部材１００に埋込み設置した場合、図７に示したように、器具本体１は、連結機構３の軸体３１を中心としてその軸体３１の軸線回りに揺動可能である。また、摩擦発生手段３３であるゴムリングが筐体１１とホルダー５の筒部５１とによって接触した状態で挟み付けられているため、器具本体１を揺動させると、その器具本体１が揺動後の姿勢にそのまま保持される。したがって、器具本体１を揺動操作してレンズ１５の向き、すなわち照明の指向角度を簡単な操作で容易に定めることができる。なお、図７において、θ１，θ２は、軸体３１を中心として器具本体１が左右に揺動する場合の器具本体１の左右への振れ角を表している。
【００２７】
　図８は本考案の実施形態としての家具用照明器具を露出型とした場合の縦断側面図である。この照明器具では、ホルダー５の構造が図１〜図３で説明したものと異なっているだけであり、器具本体１の構造は図１や図２などで説明したものと同様である。
【００２８】
　図８に示した照明器具のホルダー５は、取付板部５５と、この取付板部５５から立ち上げられて筐体１１を挟む両側部にそれぞれ配備された連結板部５７とを有していて、連結板部５７が上記した連結機構３を介して筐体１１に連結されている。この照明器具を家具側の取付部材１００に露出設置するときは、図８のように、家具側の取付部材１００にホルダー５の取付板部５５を重ね合わせると共に、取付板部５５に形成してある取付ねじ挿通孔５８に挿通した取付ねじ９１を取付板部５５にねじ込んで締め付ける。この場合にも、器具本体１は、連結機構３の軸体３１を中心としてその軸体３１の軸線回りに揺動可能である。また、摩擦発生手段３３であるゴムリングが筐体１１とホルダー５の連結板部５７とによって挟み付けられているため、器具本体１を揺動させると、その器具本体１が揺動後の姿勢にそのまま保持される。したがって、器具本体１を揺動操作するだけで、レンズ１５の向き、すなわち照明の指向角度を容易に定めることができる。
【００２９】
　以上説明した照明器具では、複数個の器具本体１を１つの電源プラグを電源として用いることが可能である。図９はその事例を示している。同図においては、２つの器具本体１，１のそれぞれの配線基板２１（図２、図８参照）の回路パターンが、電源プラグ８から導出された電源コード７にその複数箇所（２箇所）で並列に接続されていると共に、スイッチＳＷがその電源コード７に直列に介在されている。そして、電源コード７が、電源プラグ８とスイッチＳＷとの相互間に亘る第１電路形成部７１と、電源プラグ８と１つの器具本体１との相互間に亘る第２電路形成部７２と、スイッチＳＷと１つの器具本体１との相互間に亘る第３電路形成部７３と、器具本体１，１の相互間に亘る第４電路形成部７４とに区画されていて、それぞれの電路形成部７１〜７４の中間箇所に、雌雄型コネクタ７５，７６，７７，７８が介在されている。ここで、雌雄型コネクタ７５，７６，７７，７８は、ピン電極とそのピン電極に離脱可能に接続された相手方電極とを有するものであって、相手方電極にはたとえば円筒型電極が採用されている。そして、それらの電極を抜き差しするだけで、電路の接続と遮断とを短時間で行うことができる。
【００３０】
　このような電気回路において、２つの器具本体１，１の間には、雌雄型コネクタ７８を着脱することによって１つ又はそれより多い複数個の器具本体１を必要に応じて介在させることが可能である。そして、そのようにしても、全体の電路を形成する電源コード７を整然と引き廻すことが可能になって、その電源コードが乱雑になって見苦しくなるという事態を回避することができる。
【００３１】
　本考案に係る照明器具を設置する対象である家具を例示すると次のような家具がある。
【００３２】
（１）内部照明として用い得る家具
　イ．飾り棚や食器棚として、キュリオケース、コレクションボード、リビングボード、カップボード、キッチンボード、ダイニングボード、キャビネット（いずれも商品名）
　ロ．洋服ダンスとして、ワードローブ、クローゼット（いずれも商品名）
　ハ．テレビボード、コーナボード、サイドボード、サイドチェスト、ローボード
　ニ．下駄箱として、シューズケース、シューズボックス（いずれも商品名）
　ホ．仏壇
【００３３】
（２）局部照明として用い得る家具
　イ．宮付きベッド、ボードタイプベッド・・・これらは一般的な局部照明として用い得る。
　ロ．ベッド、サイドテーブル、ナイトテーブル・・・これらには足元灯として用い得る。
【産業上の利用可能性】
【００３４】
　本考案に係る家具用照明器具は、点灯時に発熱による温度上昇を生じず、電力消費量の少ないＬＥＤを光源としているので、電力消費量の少ない家具用照明器具として利用することができる。
【図面の簡単な説明】
【００３５】
【図１】本考案の実施形態としての家具用照明器具を埋込型とした場合の平面図である。
【図２】同縦断側面図である。
【図３】図１又は図２の照明器具の設置状態での要部の縦断側面図である。
【図４】図１又は図２の照明器具を直付け型とした場合の一部破断側面図である。
【図５】レンズの正面図である。
【図６】図５のＶＩ−ＶＩ線に沿う部分の拡大断面図である。
【図７】連結機構の作用説明図である。
【図８】本考案の実施形態としての家具用照明器具を露出型とした場合の縦断側面図である。
【図９】電源コードの引廻し状態を示した説明図である。
【符号の説明】
【００３６】
　１　器具本体
　３　連結機構
　５　ホルダー
　７　電源コード
　８　電源プラグ
　１１　筐体
　１４　発光窓
　１５　レンズ
　１７　取付部
　２１　配線基板
　２２　ＬＥＤ（光源）
　３１　軸体
　３２　軸受孔部
　３３　摩擦発生手段
　５１　筒部
　５２　鍔部
　５３　突片
　５４　突片の先端
　５５　取付板部
　５７　連結板部
　７１　第１電路形成部
　７２　第２電路形成部
　７３　第３電路形成部
　７４　第４電路形成部
　７５，７６，７７，７８　雌雄型コネクタ
　１００　取付部材
　１１０　円形孔
　ＳＷ　スイッチ
【図１】
0003099041.tif 000003
【図２】
0003099041.tif 000004
【図３】
0003099041.tif 000005
【図４】
0003099041.tif 000006
【図５】
0003099041.tif 000007
【図６】
0003099041.tif 000008
【図７】
0003099041.tif 000009
【図８】
0003099041.tif 000010
【図９】
0003099041.tif 000011